(57)【要約】【課題】ラベルに記載された情報の識別を容易にすることが可能な薬剤容器用ラベルと、そのラベルを用いた薬剤管理キットを提供する。【解決手段】ラベル１０１は、本体ラベル１０と、本体ラベル１０に分離可能に支持される複数の副ラベル２０（２０ａ，２０ｂ，２０ｃ，２０ｄ）とを備える輸液バッグ用ラベル１０１である。本体ラベル１０は、第１の種類の情報が表示される複数の第１情報部１１（１１ａ，１１ｂ，１１ｃ，１１ｄ）を含む。複数の第１情報部１１には、それぞれ異なる情報が表示される。ラベル１０１は、１つの副ラベル２０と１つの第１情報部１１とから構成される組を、複数組の一例として４組備える。組を構成する副ラベル２０と第１情報部１１は、互いに隣接して配置されている。【選択図】図１
0003194920.tif 000002
【実用新案登録請求の範囲】
【請求項１】
本体ラベルと、
前記本体ラベルに分離可能に支持される複数の副ラベルとを備える薬剤容器用ラベルであって、
前記本体ラベルは、第１の種類の情報が表示される複数の第１情報部を含み、複数の前記第１情報部には、それぞれ異なる情報が表示され、
１つの前記副ラベルと１つの前記第１情報部とから構成される組を複数備え、
前記組を構成する前記副ラベルと前記第１情報部は、互いに隣接して配置されている、ラベル。
【請求項２】
前記副ラベルは、副情報が表示される副情報部を含み、
前記副情報は、前記組を構成する前記第１情報部に表示される情報に対応する情報である、請求項１に記載のラベル。
【請求項３】
前記本体ラベルと前記副ラベルとは一体的に形成されており、
前記本体ラベルと前記副ラベルとの間には破断可能な脆弱部を有する、請求項１または請求項２に記載のラベル。
【請求項４】
前記組を構成する前記副ラベルと前記第１情報部との境界の一部または全部が「く」の字形状を含む、請求項３に記載のラベル。
【請求項５】
前記本体ラベルと前記副ラベルは別個に形成されており、
前記副ラベルは前記本体ラベル上に仮留めされている、請求項１から請求項３のいずれか１項に記載のラベル。
【請求項６】
請求項１から請求項５までのいずれか１項に記載のラベルと、
第２の種類の情報が表示される複数の第２情報部とを備え、
複数の前記第２情報部には、それぞれ異なる情報が表示され、
前記第２情報部の近傍に、前記本体ラベルから分離された前記副ラベルが取り付けられる副ラベル取付部が設けられている、薬剤管理キット。
【請求項７】
前記副ラベルを前記副ラベル取付部上に固定することが可能な固定手段を備える、請求項６に記載の薬剤管理キット。
【請求項８】
前記固定手段は、前記副ラベルの裏面に存在する接着剤である、請求項７に記載の薬剤管理キット。
【請求項９】
前記副ラベル取付部は、前記本体ラベルの端部に配置されている、請求項６から請求項８までのいずれか１項に記載の薬剤管理キット。
【請求項１０】
前記第２情報部は前記本体ラベルに配置されている、請求項６から請求項９までのいずれか１項に記載の薬剤管理キット。
【請求項１１】
前記本体ラベルの表裏両面に前記第１情報部と前記第２情報部とを有し、
前記副ラベルの表裏両面に前記副情報部を有する、請求項６から請求項１０までのいずれか１項に記載の薬剤管理キット。
【請求項１２】
前記ラベルが貼り付けられる薬剤容器を備え、
前記副ラベル取付部は、前記薬剤容器上に設けられている、請求項６から請求項８までのいずれか１項に記載の薬剤管理キット。
【請求項１３】
前記副ラベル取付部は、前記薬剤容器に直接印刷されている、請求項１２に記載の薬剤管理キット。
【請求項１４】
前記第２情報部は前記薬剤容器に直接印刷されている、請求項１２または請求項１３に記載の薬剤管理キット。
【請求項１５】
前記薬剤容器は透明容器である、請求項１２から請求項１４までのいずれか１項に記載の薬剤管理キット。
【請求項１６】
前記本体ラベルの表裏両面に前記第１情報部を有し、
前記副ラベルの表裏両面に前記副情報部を有する、請求項１５に記載の薬剤管理キット。
【請求項１７】
前記第１情報部に表示される情報は、薬剤の投与量であり、
前記第２情報部に表示される情報は、薬剤の投与時間であり、
前記副情報部に表示される情報は、薬剤の投与量を決定するための情報である、請求項６から請求項１６までのいずれか１項に記載の薬剤管理キット。
【請求項１８】
前記第１情報部には、さらに前記薬剤の投与量を得るための方法が表示されている、請求項１７に記載の薬剤管理キット。
【考案の詳細な説明】
【技術分野】
【０００１】
本考案は、一般的にはラベルに関し、特定的には、医薬品の包装容器の外周面上に配置されるラベルおよび薬剤を管理するためのキットに関する。
【背景技術】
【０００２】
薬剤容器のラベルには、容器に収容されている薬剤に関する様々な情報が記載されている。また、従来、例えばラベルが貼り付けられている薬剤容器から、収容された薬剤の一部を別の容器に移した場合に、もとの薬剤との関連を識別することができるように、本体ラベルから分離可能な複数のラベル片を備えるラベルもある。
【０００３】
例えば、特開２００２−６７４３号公報（特許文献１）には、表面側に位置した第一層ラベルと、第一層ラベルの下に積層された第二層ラベルとを備える薬剤管理用多層ラベルが記載されている。各ラベルは、薬剤名が印刷等により設けられた薄いシート状のラベル基材と、ラベル基材の下面に形成された粘着層とを有する。第二層ラベルの表面側には剥離層が形成され、第二層ラベルの粘着層はその下層の剥離シートや他のラベル基材等のシート材に剥離層を介して積層されている。薬剤の入ったアンプル等の容器には、第二層ラベルが、第一層ラベルとともに粘着層により貼り付けられる。アンプル等の容器の薬剤を注射器に移し替える前または後に、容器に貼られている薬剤管理用多層ラベルの第一層ラベルを容器から剥がして、容器の薬剤を移した注射器のシリンダー表面に張り付ける使用方法が記載されている。
【０００４】
また例えば、特開２００２−１３２１５４号公報（特許文献２）には、上述のような薬剤管理用多層ラベルにおいて、第一層ラベルと第二層ラベルには、同一内容を含む情報例えば薬剤名や用量等が印刷されたシート状のラベル基材と、ラベル基材の下面に形成された粘着層が設けられていることが記載されている。
【０００５】
また、特開２０１１−１１６４０９号公報（特許文献３）では、シート状の包装体片の表面に剥離剤が設けられた剥離剤部を備え、剥離剤部にはラベルが剥離可能に貼り付けされている包装体が記載されている。この包装体の剥離剤部には、剥離しやすさが異なる複数種類の剥離剤が設けられていることが記載されている。包装用箱に収容された商品を使用する際には、使用者がラベルをはがし、台帳や商品を移動させた容器に貼り、管理に供することが記載されている。
【０００６】
このように、従来、薬剤容器に収容されている薬剤に関する情報を、別の容器や台帳等に表示するためのラベルがある。
【先行技術文献】
【特許文献】
【０００７】
【特許文献１】特開２００２−６７４３号公報
【特許文献２】特開２００２−１３２１５４号公報
【特許文献３】特開２０１１−１１６４０９号公報
【考案の概要】
【考案が解決しようとする課題】
【０００８】
しかしながら、医薬品には、薬剤容器内の薬剤をそのまま施用するものだけでなく、施用時に濃度等を調整する必要のあるものがある。すなわち、予め収容されていた容器内で、予め薬剤容器に貼り付けられたラベルに記載された濃度等とは異なる濃度等になるよう調整された後に施用されるものがある。このような薬剤については、調整前の情報が記載されたラベルが予め容器に貼り付けられていても、調整された後の薬剤について、調製内容等の情報を適切に表すためには十分でない。
【０００９】
調整後の薬剤の状態に基づいて、それがどのように調整されたものであるかを識別することは困難である。例えば、医療用医薬品の一つである、有効成分としてゾレドロン酸を含有する製剤は、点滴静脈内注射用の液体製剤であるが、腎機能障害患者に対しては、高カルシウム血症の治療に用いる場合を除き、血漿中濃度を増加させないよう、腎機能の低下の状態に応じて、有効成分であるゾレドロン酸の濃度を調整して施用する必要がある。
【００１０】
具体的には、ゾレドロン酸点滴静注４ｍｇ／１００ｍＬの場合、投与する患者の腎機能の指標となるクレアチニンクリアランスの値が、（１）６０ｍＬ／分より大きい場合にはゾレドロン酸の濃度を４．０ｍｇ／１００ｍＬ（調整不要）に、（２）５０〜６０ｍＬ／分の場合には濃度を３．５ｍｇ／１００ｍＬに、（３）４０〜４９ｍＬ／分の場合には濃度を３．３ｍｇ／１００ｍＬに、（４）３０〜３９ｍＬ／分の場合には３．０ｍｇ／１００ｍＬに調整する、という４通りの調整方法がある。薬剤師等の医療従事者は患者の処方箋やクレアチニンクリアランスの値に基づいて適宜濃度を調整するが、調整後の薬剤からは、どのように調整されたのかを判別することが困難である。
【００１１】
そこで、医療従事者は、調整後の薬剤について、どのように調整されたものであるのか、調整内容を表示するために、例えば、薬剤容器に予め貼付けられているラベルや薬剤容器に油性ペン等で記載している。さらに、薬剤の投与時間も、施用される患者に合わせて決定され、ラベルや薬剤容器に油性ペン等で記載されることがある。
【００１２】
しかしながら、調整の度に調整内容や投与時間をラベルや薬剤容器等に書き付けることは、手間がかかる。また、油性ペンによってはインクの溶剤が薬剤容器内に移行する可能性があるので、薬剤容器にはインク等を載せないことが好ましい。また、薬剤容器に予め貼り付けられているラベルとは別に、調整内容を表示するための別のラベルを用意することも、効率的でない。
【００１３】
そこで、本考案の目的は、使用時に調整される薬剤について、薬剤容器に予め貼り付けられたラベルを用いて、ラベルに記載された情報の識別を容易にすることが可能な薬剤容器用ラベルと、そのラベルを用いた薬剤管理キットを提供することである。
【課題を解決するための手段】
【００１４】
この考案に従ったラベルは、本体ラベルと、本体ラベルに分離可能に支持される複数の副ラベルとを備える薬剤容器用ラベルである。本体ラベルは、第１の種類の情報が表示される複数の第１情報部を含む。複数の第１情報部には、それぞれ異なる情報が表示される。ラベルは、１つの副ラベルと１つの第１情報部とから構成される組を複数備える。組を構成する副ラベルと第１情報部は、互いに隣接して配置されている。
【００１５】
この考案に従ったラベルにおいては、副ラベルは、副情報が表示される副情報部を含み、副情報は、組を構成する第１情報部に表示される情報に対応する情報であることが好ましい。
【００１６】
この考案に従ったラベルにおいては、本体ラベルと副ラベルとは一体的に形成されており、本体ラベルと副ラベルとの間には破断可能な脆弱部を有することが好ましい。
【００１７】
この考案に従ったラベルにおいては、組を構成する副ラベルと本体ラベルとの境界の一部または全部が「く」の字形状を含むことが好ましい。
【００１８】
この考案に従ったラベルにおいては、本体ラベルと副ラベルは別個に形成されており、副ラベルは本体ラベル上に仮留めされていることが好ましい。
【００１９】
この考案に従ったラベルにおいては、本体ラベルは、第１層と、第１層の上に接着される第２層とを含むことが好ましい。第１層は台紙であり、第２層は台紙よりも小さいラベル紙であり、副ラベルは、台紙上に仮留めされていることが好ましい。
【００２０】
この考案に従ったラベルにおいては、本体ラベルは、第１層と、第１層の上に接着される第２層とを含むことが好ましい。第１層は台紙であり、第２層は台紙と略同形同大のラベル紙であり、副ラベルは、ラベル紙上に仮留めされていることが好ましい。
【００２１】
この考案に従った薬剤管理キットは、上記のいずれかのラベルと、第２の種類の情報が表示される複数の第２情報部とを備える。複数の第２情報部には、それぞれ異なる情報が表示され、第２情報部の近傍に、本体ラベルから分離された副ラベルが取り付けられる副ラベル取付部が設けられている。
【００２２】
この考案に従った薬剤管理キットは、副ラベルを副ラベル取付部上に固定することが可能な固定手段を備えることが好ましい。
【００２３】
この考案に従った薬剤管理キットにおいては、固定手段は、副ラベルの裏面に存在する接着剤であることが好ましい。
【００２４】
この考案に従った薬剤管理キットにおいては、副ラベル取付部は、本体ラベルの端部に配置されていることが好ましい。
【００２５】
この考案に従った薬剤管理キットにおいては、第２情報部は本体ラベルに配置されていることが好ましい。
【００２６】
この考案に従った薬剤管理キットは、本体ラベルの表裏両面に第１情報部と第２情報部とを有し、副ラベルの表裏両面に副情報部を有することが好ましい。
【００２７】
この考案に従った薬剤管理キットは、ラベルが貼り付けられる薬剤容器を備え、副ラベル取付部は、薬剤容器上に設けられていることが好ましい。
【００２８】
この考案に従った薬剤管理キットにおいては、副ラベル取付部は、薬剤容器に直接印刷されていることが好ましい。
【００２９】
この考案に従った薬剤管理キットにおいては、第２情報部は薬剤容器に直接印刷されていることが好ましい。
【００３０】
この考案に従った薬剤管理キットにおいては、薬剤容器は透明容器であることが好ましい。
【００３１】
この考案に従った薬剤管理キットは、本体ラベルの表裏両面に第１情報部を有し、副ラベルの表裏両面に副情報部を有することが好ましい。
【００３２】
この考案に従った薬剤管理キットにおいては、第１情報部に表示される情報は、薬剤の投与量であり、第２情報部に表示される情報は、薬剤の投与時間であり、副情報部に表示される情報は、薬剤の投与量を決定するための情報であることが好ましい。
【００３３】
この考案に従った薬剤管理キットにおいては、第１情報部には、さらに薬剤の投与量を得るための方法が表示されていることが好ましい。
【図面の簡単な説明】
【００３４】
【図１】本考案の第１実施形態のラベルの（Ａ）おもて面と（Ｂ）裏面を示す図である。
【図２】本考案の第１実施形態のラベルの本体ラベルから副ラベルの一つを分離した状態の（Ａ）おもて面と（Ｂ）裏面を示す図である。
【図３】本考案の第１実施形態のラベルの本体ラベルの副ラベル取付部の一つに副ラベルの一つを貼り付けた状態の（Ａ）おもて面と（Ｂ）裏面を示す図である。
【図４】本考案の第１実施形態のラベルが貼りつけられた輸液バッグの（Ａ）おもて面と（Ｂ）裏面を示す図である。
【図５】輸液バッグに貼り付けられた本考案の第１実施形態のラベルの本体ラベルから副ラベルの一つを分離した状態の（Ａ）おもて面と（Ｂ）裏面を示す図である。
【図６】輸液バッグに貼り付けられた本考案の第１実施形態のラベルの副ラベル取付部の一つに副ラベルの一つを貼り付けた状態の（Ａ）おもて面と（Ｂ）裏面を示す図である。
【図７】本考案の第２実施形態の薬剤管理キットについて、ラベルの（Ａ）おもて面から見た状態と（Ｂ）裏面から見た状態を示す図である。
【図８】本考案の第２実施形態の薬剤管理キットについて、本体ラベルから副ラベルの一つを分離したときにラベルの（Ａ）おもて面から見た状態と（Ｂ）裏面から見た状態を示す図である。
【図９】本考案の第２実施形態の薬剤管理キットについて、本体ラベルの副ラベル取付部の一つに副ラベルの一つを貼り付けたときにラベルの（Ａ）おもて面から見た状態と（Ｂ）裏面から見た状態を示す図である。
【図１０】本考案の第３実施形態のラベルのおもて面を示す図である。
【図１１】本考案の第４実施形態のラベルのおもて面を示す図である。
【図１２】本考案の第５実施形態のラベルのおもて面を示す図である。
【図１３】本考案の第５実施形態のラベルの本体ラベルから副ラベルの一つを分離した状態のおもて面を示す図である。
【考案を実施するための形態】
【００３５】
以下、本考案のラベルの実施形態を図面に基づいて説明する。
【００３６】
（第１実施形態）
図１に示すように、薬剤容器用のラベル１０１は、主に本体ラベル１０と、本体ラベル１０の右端部の略中央部に配置された４つの副ラベル２０（２０ａ，２０ｂ，２０ｃ，２０ｄ）とを備える。本体ラベル１０と副ラベル２０とが一体的に形成されて、１つのラベル１０１を構成されている。本体ラベル１０とそれぞれの副ラベル２０との境界、および、それぞれの副ラベル２０の境界には、破断可能な脆弱部の一例としてミシン目３０が形成されている。
【００３７】
本体ラベル１０のおもて面の略中央右寄りの部分には、上下方向に沿って４つの（４段の）第１情報部１１（１１ａ，１１ｂ，１１ｃ，１１ｄ）が配置されており、これら第１情報部１１の「Ｘ」欄には、第１の種類の情報として、例えば投与量が印刷によって表示されている。それぞれの第１情報部の右側には、それぞれ副ラベル２０が配置されており、すなわち、副ラベル２０も上下４段に並べて配置されている。副ラベル２０には、「Ｙ」欄に副情報部が配置されており、例えば、副情報として、隣接する第１情報部１１に表示された投与量が必要となる腎機能の数値が印刷によって表示されている。
【００３８】
例えば、第１段目の第１情報部１１ａに印刷された投与量は「Ｘ１」であり、第１情報部１１ａの右側に隣接して配置されている第１段目の副ラベル２０ａには、「Ｘ１」の投与量が必要となる腎機能の数値として「Ｙ１」という数値が印刷されている。同様に、第２段目の第１情報部１１ｂに印刷された投与量は「Ｘ２」であり、第１情報部１１ｂの右側に隣接して配置されている第２段目の副ラベル２０ｂには「Ｙ２」と印刷されている。第３段目の第１情報部１１ｃに印刷された投与量は「Ｘ３」であり、第１情報部１１ｃの右側に隣接して配置されている第３段目の副ラベル２０ｃには「Ｙ３」と印刷されている。第４段目の第１情報部１１ｄに印刷された投与量は「Ｘ４」であり、第１情報部１１ｄの右側に隣接して配置されている第４段目の副ラベル２０ｄには「Ｙ４」と印刷によって表示されている。
【００３９】
このようにして、第１情報部１１ａと副ラベル２０ａ、第１情報部１１ｂと副ラベル２０ｂ、第１情報部１１ｃと副ラベル２０ｃ、第１情報部１１ｄと副ラベル２０ｄがそれぞれ組になっており、合計４組の第１情報部１１と副ラベル２０の組が構成されている。
【００４０】
本体ラベル１０における第１情報部１１と、副ラベル２０との境界は、「く」の字形状とされている。具体的には、副ラベル２０における第１情報部１１の側の端部は、例えば、鋭角部（凸部）３１とされており、本体ラベル１０からミシン目３０に沿って副ラベル２０を分離することにより、本体ラベル１０における第１情報部１１の右端部（副ラベル２０との隣接部）には、副ラベル２０の鋭角部（凸部）３１に対応する凹部３２が現れる。なお、本実施形態では、本体ラベル１０における第１情報部１１と副ラベル２０との境界の全体が「く」の字形状とされているが、前記境界の一部のみが「く」の字形状とされていてもよい。また、本実施形態では、「く」の字の角度を鋭角としているが、本考案において、「く」の字の角度は、鋭角、直角、及び鈍角のいずれであってもよい。
【００４１】
本体ラベル１０の上端部には、４つの副ラベル取付部１２（１２ａ，１２ｂ，１２ｃ，１２ｄ）を示す逆三角形の形状が印刷されている。それぞれの副ラベル取付部１２の近傍において副ラベル取付部１２の下方には、第２の種類の情報の一例として投与時間が印刷によって表示された第２情報部１３（１３ａ，１３ｂ，１３ｃ，１３ｄ）が配置されている。この実施形態においては、第１の副ラベル取付部１２ａの下方の第２情報部１３ａ（「Ｚ」欄）には、投与時間として「Ｚ１」、第２の副ラベル取付部１２ｂの下方の第２情報部１３ｂには、投与時間として「Ｚ２」、第３の副ラベル取付部１２ｃの下方の第２情報部１３ｃには、投与時間として「Ｚ３」、第４の副ラベル取付部１２ｄの下方の第２情報部１３ｄには、投与時間として「Ｚ４」との情報が印刷によって表示されている。
【００４２】
本体ラベル１０の裏面には、おもて面と対称の位置に第１情報部１１と第２情報部１３と副情報部が配置されている。また、本体ラベル１０の裏面には、本体ラベル１０を薬剤容器の外周面上に固着するための接着剤（図示しない）が載せられている。
【００４３】
副ラベル２０の裏面には、おもて面の副情報部と対称の位置に副情報部が配置されている。また、副ラベル２０の裏面には、固定手段の一例として、比較的接着力の弱い接着剤（図示しない）が設けられている。この実施形態において、副ラベル２０の裏面の接着剤は、副ラベル２０を薬剤容器から剥離して、剥離した副ラベル２０を本体ラベル取付部１２に貼付することを可能とする接着力を有するものである。また、固定手段は、副ラベル２０の裏面の少なくとも一部に設けられていればよく、裏面全面に存在していなくともよい。副ラベル２０の裏面の一部にのみ固定手段を設けることにより、使用者が副ラベル２０を本体ラベル１０から分離するときに、固定手段の設けられていない部分を手でつまむことができるので、副ラベル２０の取扱いが容易になる。また、固定手段として接着剤を用いる場合、接着力は複数の副ラベル２０の間で均一である必要はない。なお、本出願書類において、「接着」との用語には、接着の一種である粘着が含まれる。
【００４４】
本体ラベル１０の裏面の第１情報部１１には、おもて面の第１情報部１１と同様の情報、すなわち、投与量に加えて、腎機能に応じた濃度調整方法が印刷されている。例えば、第２段目の第１情報部１１ｂにおいて、「Ｘ」欄には投与量「Ｘ２」が表示され、「ＸＸ」欄には濃度調整方法として、抜取量「ＸＸ２」が表示されている。この表示は、第２段目の第１情報部１１ｂの「Ｘ」欄に表記された投与量「Ｘ２」が必要である場合に、「ＸＸ」欄に記載されている「ＸＸ２」の薬剤を薬剤容器から抜き取り、代わりに希釈剤（例えば、生理食塩液またはブドウ糖液）を、抜き取った量と同量である「ＸＸ２」だけ薬剤容器内に投入することで、「Ｘ２」の投与量となる濃度に調整できることを示している。本体ラベル１０の裏面には、第１情報部１１以外の位置に、上述の濃度調整方法の説明が記載されていてもよい。
【００４５】
以上のように構成されるラベル１０１の使用方法を説明する。
【００４６】
薬剤師等の使用者は、まず、施用される患者の腎機能の数値が印刷された副ラベル２０を見出し、その副ラベル２０に対応する第１情報部１１の投与量と濃度調整方法を確認し、薬剤容器中の薬剤の濃度を調整する。
【００４７】
図２に示すように、施用される患者の腎機能の数値に対応する副ラベル２０をミシン目３０で切って本体ラベル１０から分離する。図２には、例えば患者の腎機能が第２段目の副ラベル２０ｂに印刷された「Ｙ２」である場合に、第２段目の副ラベル２０ｂを本体ラベル１０から分離した状態を示す。このように、１つの副ラベル２０ｂが本体ラベル１０から分離されることにより、副ラベル２０ｂと組になっている第１情報部１１ｂが凹部３２によって見分けやすくなる。図２では、第２段目の投与量である「Ｘ２」が、凹部３２によって指示されている。
【００４８】
図３に示すように、次に、投与時間を決定し、分離した副ラベル２０を、副ラベル２０の鋭角部（凸部）３１が第２情報部１３の方を向き、鋭角部（凸部）３１で決定された投与時間を指すように、副ラベル取付部１２に貼り付ける。図３では、第２段目の副ラベル２０ｂを、第２の副ラベル取付部１２ｂに貼り付けて、第２情報部１３ｂを指し示している。副ラベル２０ｂの凸部３１は、第２情報部１３ｂに表示された投与時間「Ｚ２」を指している。
【００４９】
このように、施用される患者の腎機能が印刷された副ラベル２０を本体ラベル１０から分離し、本体ラベル１０上の副ラベル取付部１２に貼り付けるだけで、腎機能、調整された薬剤の投与量、および、投与時間を、簡単に表示することができる。
【００５０】
次に、このラベルを、薬剤容器の一例として透明な輸液バッグに貼り付けた場合について、使用方法を説明する。
【００５１】
図４に示すように、ラベル１０１は輸液バッグ１０２の外周面上に貼り付けられて薬剤管理キット１を構成している。本体ラベル１０の裏面および副ラベル２０の裏面には接着剤が付けられている。また、副ラベル２０の裏面の接着剤の接着力は、本体ラベル１０の裏面の接着剤の接着力よりも弱いものとされている。このため、ラベル１０１の全体は、主に本体ラベル１０の裏面の接着剤によって輸液バッグ１０２の外周面上に固着される。
【００５２】
上述のように、薬剤師等の使用者は、輸液バッグ１０２内の薬剤を施用する患者の腎機能の数値が印刷された副ラベル２０を見出し、その副ラベル２０に対応する第１情報部１１の投与量と濃度調整方法を確認し、薬剤容器中の薬剤の濃度を調整する。
【００５３】
図５に示すように、施用される患者の腎機能の数値に対応する副ラベル２０をミシン目３０で切って本体ラベル１０から分離する。副ラベル２０の裏面の接着剤は、本体ラベル１０の裏面の接着剤と比較して接着力が弱いので、使用者は選択された副ラベル２０のみを本体ラベル１０から分離して輸液バッグ１０２から剥がし取ることができる。このように、１つの副ラベル２０ｂが本体ラベル１０から分離されることにより、副ラベル２０ｂと組になっている第１情報部１１ｂが凹部３２によって見分けやすくなる。図５では、第２段目の投与量である「Ｘ２」が、凹部３２によって指示されている。図５の（Ｂ）に示すように、透明の輸液バッグ１０２を通して、ラベル１０１の裏面を視認することができる。
【００５４】
図６に示すように、次に、投与時間を決定し、分離した副ラベル２０を、副ラベル２０の鋭角部（凸部）３１が第２情報部１３ｂの方を向き、鋭角部（凸部）３１で決定された投与時間を指すように、副ラベル取付部１２に貼り付ける。薬剤容器が透明な輸液バッグ１０２である場合には、輸液バッグ１０２の表裏いずれの面からも、施用される患者の腎機能、調整された薬剤の投与量、および、投与時間を一度に確認することができる。
【００５５】
以上のように、ラベル１０１は、本体ラベル１０と、本体ラベル１０に分離可能に支持される複数の副ラベル２０（２０ａ，２０ｂ，２０ｃ，２０ｄ）とを備える輸液バッグ用ラベル１０１である。本体ラベル１０は、第１の種類の情報が表示される複数の第１情報部１１（１１ａ，１１ｂ，１１ｃ，１１ｄ）を含む。複数の第１情報部１１には、それぞれ異なる情報が表示される。ラベル１０１は、１つの副ラベル２０と１つの第１情報部１１とから構成される組を、複数組の一例として４組備える。
【００５６】
副ラベル２０は本体ラベル１０から分離可能であるので、副ラベル２０を本体ラベル１０から分離することによって、使用者は、副ラベル２０と組になっている第１情報部１１を見分けやすくなる。
【００５７】
このようにすることにより、ラベルに記載された情報の識別を容易にすることが可能な薬剤容器用ラベルを提供することができる。
【００５８】
ラベル１０１においては、組を構成する副ラベル２０と第１情報部１１は、互いに隣接して配置されている。このようにすることにより、第１情報部１１と副ラベル２０との組を識別することが容易になる。
【００５９】
ラベル１０１においては、副ラベル２０は、副情報が表示される副情報部を含み、副情報は、組を構成する第１情報部１１に表示される情報に対応する情報である。このようにすることにより、複数の情報を表示することが可能になり、多様な患者に対して使用しやすくなる。
【００６０】
ラベル１０１においては、本体ラベル１０と副ラベル２０とは一体的に形成されており、本体ラベル１０と副ラベル２０との間には破断可能な脆弱部としてミシン目３０を有する。このようにすることにより、ラベル１の構造が簡単になり、かつ、副ラベル２０を本体ラベル１０から簡単に分離することが可能になる。
【００６１】
ラベル１０１においては、組を構成する副ラベル２０と本体ラベル１０との境界の一部または全部が「く」の字形状を含む。このようにすることにより、本体ラベル１０から分離された副ラベル２０と組になっていた第１情報部１１を見分けやすくすることができる。
【００６２】
なお、副ラベル２０と本体ラベル１０の境界の「く」の字形状の角部の角度は任意に設計されればよく、副ラベル２０側に鋭角部（凸部）ではなく凹部、鈍角または直角部が形成されてもよい。また、本体ラベル１０側に凹部ではなく鋭角部（凸部）、鈍角または直角部が形成されてもよい。
【００６３】
薬剤管理キット１は、ラベル１０１と、第２の種類の情報が表示される複数の第２情報部１３とを備える。複数の第２情報部１３には、それぞれ異なる情報が表示され、第２情報部１３の近傍に、本体ラベル１０から分離された副ラベル２０が取り付けられる副ラベル取付部１２が設けられている。
【００６４】
副ラベル２０を第２情報部１３の近傍に配置された副ラベル取付部１２に貼り付けることにより、副ラベル２０を、第２の種類の情報を指し示す指示部としても利用することができる。
【００６５】
薬剤管理キット１は、副ラベル２０を副ラベル取付部１２上に固定することが可能な固定手段を備える。薬剤管理キット１においては、固定手段は、副ラベル２０の裏面に存在する接着剤である。このようにすることにより、簡単な構造で、副ラベル２０が指し示す第２の種類の情報を見分けやすくすることができる。なお、この実施形態においては、固定手段として副ラベル２０の裏面に付着された接着剤を用いたが、固定手段は他の手段であってもよい。例えば、副ラベル２０の裏面に付着された粘着剤でもよいし、本体ラベル１０と副ラベル２０の一方に形成された切り込みと、他方に形成された、その切り込みに差し込まれるための凸部の組み合わせであってもよい。
【００６６】
薬剤管理キット１においては、副ラベル取付部１２は、本体ラベル１０の端部に配置されている。このようにすることにより、副ラベル２０を副ラベル取付部１２に配置するときに、副ラベル２０の少なくとも一部を本体ラベル１０から突出させることができるので、副ラベル２０が指し示す第２の種類の情報を見分けやすくすることができる。
【００６７】
薬剤管理キット１においては、第２情報部１３は本体ラベル１０に配置されている。
【００６８】
薬剤管理キット１は、本体ラベル１０の表裏両面に第１情報部１１と第２情報部１３とを有し、副ラベル２０の表裏両面に副情報部を有する。このようにすることにより、ラベル１０１が輸液バッグなど透明な薬剤容器に用いられる時に、容器の表面からも裏面からも調整内容等を確認することができる。
【００６９】
薬剤管理キット１においては、輸液バッグ１０２は透明容器である。
【００７０】
薬剤管理キット１においては、第１情報部１１に表示される情報は、薬剤の投与量であり、第２情報部１３に表示される情報は、薬剤の投与時間であり、副情報部に表示される情報は、薬剤の投与量を決定するための情報である。
【００７１】
薬剤管理キット１においては、第１情報部１１には、さらに薬剤の投与量を得るための方法が表示されている。
【００７２】
このように、薬剤管理キット１では、１つの副ラベル２０が、副情報を表示するとともに、対応する第１の種類の情報の指示部としても、第２の種類の情報の指示部としても利用される。
【００７３】
このようにすることにより、使用時に調整される薬剤について、輸液バッグ１０２に予め貼り付けられたラベル１０１を用いて、複数の情報を簡単に表示することが可能なラベル１０１を提供することができる。
【００７４】
調整後の薬剤の調整内容を、ラベル１０１によって識別することができるので、医療事故のリスクを低減することが可能である。また、調整時に調整内容を油性ペン等でラベル１０１や輸液バッグ１０２に書き付ける必要がなくなる。予め輸液バッグ１０２に貼り付けられているラベル１０１とは別に、調整内容が記載されたラベル等を用意しておく必要もない。このようにして、調整時の作業や投与時の確認作業を効率化することができる。
【００７５】
なお、この実施形態においては、ラベル１０１を輸液バッグ１０２に貼り付けて薬剤管理キット１として説明したが、ラベル１０１上に第２情報部１３と副ラベル取付部１２とが設けられているので、ラベル１０１自体を薬剤管理キットとして用いることができる。
【００７６】
（第２実施形態）
第２実施形態の薬剤管理キット２は、第１実施形態の薬剤管理キットと同様に、主にラベル２０１と輸液バッグ２０２とを備える。薬剤管理キット２は、第１実施形態の薬剤管理キットと以下の点で異なる。すなわち、第２情報部２１３（２１３ａ，２１２３ｂ，２１３ｃ，２１３ｄ）が輸液バッグ２０２上に直接、印刷されている。また、副ラベル取付部２１２は、輸液バッグ２０２上に形成されている。以下、第１実施形態と同一の符号で表わされる部材については、説明を省略する。
【００７７】
図７に示すように、ラベル２０１は、主に本体ラベル２１０と、本体ラベル２１０の右端部に配置された４つの副ラベル２０（２０ａ，２０ｂ，２０ｃ，２０ｄ）とを備える。本体ラベル２１０と副ラベル２０が一体的に形成されて、１つのラベル２０１が構成されている。本体ラベル２１０とそれぞれの副ラベル２０との境界、および、それぞれの副ラベル２０の境界には、容易に破断可能な脆弱部の一例としてミシン目３０が形成されている。
【００７８】
本体ラベル２１０のおもて面の略中央右寄りの部分には、上下方向に沿って４つの（４段の）第１情報部１１（１１ａ，１１ｂ，１１ｃ，１１ｄ）が配置されており、これら第１情報部１１のそれぞれに、第１の種類の情報として投与量が印刷されている。それぞれの第１の種類の情報の右側には、それぞれ副ラベル２０が配置されており、すなわち、副ラベル２０も上下４段に並べて配置されている。副ラベル２０には、副情報として、各段それぞれの投与量が必要となる腎機能の数値が印刷された副情報部が配置されている。
【００７９】
第２実施形態においても、第１実施形態と同様に、第１情報部１１ａと副ラベル２０ａ、第１情報部１１ｂと副ラベル２０ｂ、第１情報部１１ｃと副ラベル２０ｃ、第１情報部１１ｄと副ラベル２０ｄがそれぞれ組になっており、合計４組の第１情報部１１と副ラベル２０の組が構成されている。
【００８０】
本体ラベル２１０における第１情報部１１と、副ラベル２０との境界は、「く」の字形状とされている。具体的には、副ラベル２０における第１情報部１１の側の端部は、例えば、鋭角部（凸部）３１とされており、本体ラベル２１０からミシン目３０に沿って副ラベル２０を分離することにより、本体ラベル１０における第１情報部１１の右端部（副ラベル２０との隣接部）に、副ラベル２０の鋭角部（凸部）３１に対応する凹部３２が現れる。
【００８１】
ラベル２０１の裏面には、おもて面と対称の位置に第１情報部１１と副情報部が配置されている。また、本体ラベル２１０の裏面には、本体ラベル２１０を薬剤容器の外周面上に固着するための接着剤（図示しない）が載せられている。副ラベル２０の裏面には、固定手段の一例として、比較的接着力の弱い接着剤（図示しない）が載せられている。この実施形態においては、副ラベル２０の裏面の接着剤は、副ラベル２０を薬剤容器から剥離して、剥離した副ラベル２０を本体ラベル取付部１２に貼付することを可能とする接着力を有するものである。
【００８２】
この実施形態においては、本体ラベル２１０の裏面には比較的接着力の強い接着剤が付けられており、副ラベル２０の裏面には比較的接着力の弱い接着剤が付けられているので、ラベル２０１の全体は、主に本体ラベル２１０の裏面の接着剤によって輸液バッグ２０２の外周面上に固着されている。
【００８３】
本体ラベル２１０の裏面の第１情報部１１には、おもて面と同様の情報、すなわち、投与量に加えて、腎機能に応じた濃度調整方法が印刷されている。
【００８４】
本体ラベル２１０の上方において輸液バッグ２０２には、第２の種類の情報として投与時間が印刷された第２情報部２１３が配置されている。第２情報部２１３の上方は、本体ラベル２１０から分離された副ラベル２０を配置するための副ラベル取付部２１２である。
【００８５】
以上のように構成される薬剤管理キット２の使用方法を説明する。
【００８６】
薬剤師等の使用者は、まず、施用される患者の腎機能の数値が印刷された副ラベル２０を見出し、その副ラベル２０に対応する第１情報部１１の投与量と濃度調整方法を確認し、輸液バッグ２０２中の薬剤の濃度を調整する。
【００８７】
図８に示すように、施用される患者の腎機能の数値に対応する副ラベル２０をミシン目３０で切って本体ラベル２１０から分離する。図８には、例えば患者の腎機能が第２段目の副ラベル２０ｂに印刷された「Ｙ２」である場合に、第２段目の副ラベル２０ｂを本体ラベル２１０から分離した状態を示す。このように、１つの副ラベル２０が本体ラベル２１０から分離されることにより、分離された副ラベル２０の鋭角部（凸部）３１がラベル２０１から欠け、その副ラベル２０に表示された副情報に対応する第１情報部が凹部３２によって見分けやすくなる。図８は、第２段目の投与量である「Ｘ２」が、凹部３２によって指示されている。図８の（Ｂ）に示すように、透明の輸液バッグ２０２を通して、ラベル２０１の裏面を視認することができる。
【００８８】
図９に示すように、次に、投与時間を決定し、分離した副ラベル２０を、副ラベル２０の鋭角部（凸部）３１が第２情報部２１３の方を向き、鋭角部（凸部）３１で決定された投与時間を指すように、副ラベル取付部２１２に貼り付ける。図９では、第２段目の副ラベル２０ｂを副ラベル取付部２１２に貼り付けている。副ラベル２０ｂの凸部３１は、第２情報部２１３ｂに表示された投与時間「Ｚ２」を指している。
【００８９】
薬剤容器が透明な輸液バッグ２０２である場合には、輸液バッグ２０２の表裏いずれの面からも、施用される患者の腎機能、調整された薬剤の投与量、および、投与時間を一度に確認することができる。
【００９０】
このように、施用される患者の腎機能が印刷された副ラベル２０を本体ラベル２１０から分離し、本体ラベル２１０上の副ラベル取付部２１２に貼り付けるだけで、腎機能、調整された薬剤の投与量、および、投与時間を、簡単に表示することができる。
【００９１】
以上のように、薬剤管理キット２は、ラベル２０１が貼り付けられる輸液バッグ２０２を備え、副ラベル取付部２１２は、輸液バッグ２０２上に設けられている。
【００９２】
薬剤管理キット２においては、第２情報部２１３は輸液バッグ２０２に直接印刷されている。このようにすることにより、副ラベル２０を副ラベル取付部２１２に配置するときに、副ラベル２０の少なくとも一部を本体ラベル２１０から突出させることができるので、副ラベル２０が指し示す第２の種類の情報を見分けやすくすることができる。
【００９３】
なお、薬剤管理キット２の副ラベル取付部２１２として、第１実施形態の副ラベル取付部１２のように逆三角形等が輸液バッグ２０２に直接印刷されていてもよい。このようにすることにより、薬剤管理キット２の使用者に、副ラベル２０の取付位置を直感的に把握しやすくすることができる。
【００９４】
第２実施形態の薬剤管理キット２のその他の構成と効果は、第１実施形態の薬剤管理キット１と同様である。
【００９５】
（第３実施形態）
図１０に示すように、第３実施形態のラベル３０１は、第１実施形態のラベル１０１と同様に、主に本体ラベル３１０と副ラベル２０とを備える。ラベル３０１は、第１実施形態のラベル１０１と以下の点で異なる。すなわち、ラベル３０１上には、第２情報部と副ラベル取付部が設けられていない。以下、第１実施形態と同一の符号で表わされる部材については、説明を省略する。
【００９６】
ラベル３０１は、主に本体ラベル３１０と、本体ラベル３１０の右端部に配置された４つの副ラベル２０（２０ａ，２０ｂ，２０ｃ，２０ｄ）とを備える。本体ラベル３１０と副ラベル２０とが、一体的に形成されて、１つのラベル３０１が構成されている。本体ラベル３１０とそれぞれの副ラベル２０との境界、および、それぞれの副ラベル２０の境界には、容易に破断可能な脆弱部の一例としてミシン目３０が形成されている
【００９７】
本体ラベル３１０のおもて面の略中央右寄りの部分には、上下方向に沿って４つの（４段の）第１情報部１１（１１ａ，１１ｂ，１１ｃ，１１ｄ）が配置されており、これら第１情報部１１のそれぞれに、第１の種類の情報として投与量が印刷されている。それぞれの第１の種類の情報の右側には、それぞれ副ラベル２０が配置されており、すなわち、副ラベル２０も上下４段に並べて配置されている。副ラベル２０には、副情報として、各段それぞれの投与量が必要となる腎機能の数値が印刷された副情報部が配置されている。
【００９８】
第３実施形態においても、第１実施形態と同様に、第１情報部１１ａと副ラベル２０ａ、第１情報部１１ｂと副ラベル２０ｂ、第１情報部１１ｃと副ラベル２０ｃ、第１情報部１１ｄと副ラベル２０ｄがそれぞれ組になっており、合計４組の第１情報部１１と副ラベル２０の組が構成されている。
【００９９】
本体ラベル３１０における第１情報部１１と、副ラベル２０との境界は、「く」の字形状とされている。具体的には、副ラベル２０における第１情報部１１の側の端部は、例えば、鋭角部（凸部）３１とされており、本体ラベル３１０からミシン目３０に沿って副ラベル２０を分離することにより、本体ラベル１０における第１情報部１１の右端部（副ラベル２０との隣接部）に、副ラベル２０の鋭角部（凸部）３１に対応する凹部３２が現れる。
【０１００】
ラベル３０１の裏面（図示しない）には、おもて面と対称の位置に第１情報部１１と副情報部が配置されている。また、本体ラベル３１０の裏面には、本体ラベル２１０を薬剤容器の外周面上に固着するための接着剤（図示しない）が載せられている。副ラベル２０の裏面には、固定手段の一例として、本体ラベル３１０の裏面の接着剤と比較して接着力の弱い接着剤（図示しない）が設けられている。
【０１０１】
使用者は、副ラベル２０のうちの１つを本体ラベル３１０から分離して、分離された副ラベル２０と組になっていた第１情報部１１を見分けやすくすることができる。
【０１０２】
以上のように、ラベル３０１は、本体ラベル３１０と、本体ラベル３１０に分離可能に支持される複数の副ラベル２０とを備える輸液バッグ１０２用ラベル３０１である。本体ラベル３１０は、第１の種類の情報が表示される複数の第１情報部１１を含む。複数の第１情報部１１には、それぞれ異なる情報が表示される。ラベル３０１は、１つの副ラベル２０と１つの第１情報部１１とから構成される組を複数備える。
【０１０３】
副ラベル２０は本体ラベル３１０から分離可能であるので、副ラベル２０を本体ラベル３１０から分離することによって、使用者は、副ラベル２０と組になっている第１情報部１１を見分けやすくなる。このようにすることにより、ラベルに記載された情報の識別を容易にすることが可能な薬剤容器用ラベル３０１を提供することができる。
【０１０４】
このようにすることにより、ラベルに記載された情報の識別を容易にすることが可能な薬剤容器用ラベル３０１を提供することができる。
【０１０５】
ラベル３０１においては、組を構成する副ラベル２０と第１情報部１１は、互いに隣接して配置されている。このようにすることにより、第１情報部１１と副ラベル２０との組を識別することが容易になる。
【０１０６】
ラベル３０１においては、副ラベル２０は、副情報が表示される副情報部を含み、副情報は、組を構成する第１情報部１１に表示される情報に対応する情報である。このようにすることにより、複数の情報を表示することが可能になり、多様な患者に対して使用しやすくなる。
【０１０７】
ラベル３０１においては、本体ラベル３１０と副ラベル２０とは一体的に形成されており、本体ラベル３１０と副ラベル２０との間には破断可能な脆弱部としてミシン目３０を有する。このようにすることにより、ラベル１の構造が簡単になり、かつ、副ラベル２０を本体ラベル３１０から簡単に分離することが可能になる。
【０１０８】
ラベル３０１においては、組を構成する副ラベル２０と本体ラベル３１０との境界の一部または全部が「く」の字形状を含む。
【０１０９】
第３実施形態のラベル３０１のその他の構成と効果は、第１実施形態のラベル１０１と同様である。
【０１１０】
（第４実施形態）
図１１に示すように、第４実施形態のラベル４０１は、第１実施形態のラベル１０１と同様に、主に本体ラベル４１０と副ラベル２０とを備える。ラベル４０１は、第１実施形態のラベル１０１と以下の点で異なる。すなわち、ラベル４０１上の副ラベル４２０（４２０ａ，４２０ｂ，４２０ｃ，４２０ｄ）には、副情報が表示された副情報部が設けられていない。以下、第１実施形態と同一の符号で表わされる部材については、説明を省略する。
【０１１１】
ラベル４０１は、本体ラベル４１０と、本体ラベル４１０に分離可能に支持される複数の副ラベル４２０とを備える薬剤容器用ラベル４０１である。本体ラベル４１０は、第１の種類の情報が表示される複数の第１情報部１１（１１ａ，１１ｂ，１１ｃ，１１ｄ）を含む。複数の第１情報部１１には、それぞれ異なる情報が表示される。
【０１１２】
ラベル４０１においては、組を構成する副ラベル４２０と第１情報部１１は、互いに隣接して配置されている。例えば、第１情報部１１ａと副ラベル４２０ａ、第１情報部１１ｂと副ラベル４２０ｂ、第１情報部１１ｃと副ラベル４２０ｃ、第１情報部１１ｄと副ラベル４２０ｄがそれぞれ組になっており、合計４組の第１情報部１１と副ラベル４２０の組が構成されている。
【０１１３】
このようにして、ラベル４０１は、１つの副ラベル４２０と１つの第１情報部１１とから構成される組を複数備える。
【０１１４】
副ラベル４２０は本体ラベル４１０から分離可能であるので、副ラベル４２０を本体ラベル４１０から分離することによって、使用者は、副ラベル４２０と組になっている第１情報部１１を見分けやすくなる。このようにすることにより、ラベルに記載された情報の識別を容易にすることが可能な薬剤容器用ラベル４０１を提供することができる。
【０１１５】
このようにすることにより、ラベルに記載された情報の識別を容易にすることが可能な薬剤容器用ラベル４０１を提供することができる。
【０１１６】
ラベル４０１においては、組を構成する副ラベル４２０と第１情報部１１は、互いに隣接して配置されている。このようにすることにより、第１情報部１１と副ラベル４２０との組を識別することが容易になる。
【０１１７】
ラベル４０１においては、本体ラベル４１０と副ラベル４２０とは一体的に形成されており、本体ラベル４１０と副ラベル４２０との間には破断可能な脆弱部としてミシン目３０を有する。このようにすることにより、ラベル１の構造が簡単になり、かつ、副ラベル４２０を本体ラベル４１０から簡単に分離することが可能になる。
【０１１８】
ラベル４０１においては、組を構成する副ラベル４２０と本体ラベル４１０との境界の一部または全部が「く」の字形状を含む。
【０１１９】
なお、この実施形態においては、ラベル４０１上に第２情報部１３と副ラベル取付部１２とが設けられているので、ラベル４０１自体を薬剤管理キットとして用いることができる。
【０１２０】
第４実施形態の薬剤管理キットは、ラベル４０１と、ラベル４０１の本体ラベル４１０上に配置され、第２の種類の情報が表示される複数の第２情報部１３とを備える。複数の第２情報部１３には、それぞれ異なる情報が表示され、第２情報部１３の近傍に、本体ラベル４１０から分離された副ラベル４２０が取り付けられる副ラベル取付部１２が設けられている。
【０１２１】
副ラベル４２０を第２情報部１３の近傍に配置された副ラベル取付部１２に貼り付けることにより、副ラベル４２０を、第２の種類の情報を指し示す指示部としても利用することができる。
【０１２２】
第４実施形態の薬剤管理キットは、副ラベル４２０を副ラベル取付部１２上に固定することが可能な固定手段を備える。薬剤管理キット１においては、固定手段は、副ラベル４２０の裏面に存在する接着剤である。このようにすることにより、簡単な構造で、副ラベル４２０が指し示す第２の種類の情報を見分けやすくすることができる。
【０１２３】
第４実施形態の薬剤管理キットにおいては、副ラベル取付部１２は、本体ラベル４１０の端部に配置されている。このようにすることにより、副ラベル４２０を副ラベル取付部１２に配置するときに、副ラベル４２０の少なくとも一部を本体ラベル４１０から突出させることができるので、副ラベル４２０が指し示す第２の種類の情報を見分けやすくすることができる。
【０１２４】
第４実施形態のラベル（薬剤管理キット）４０１のその他の構成と効果は、第１実施形態のラベル１０１と同様である。
【０１２５】
（第５実施形態）
図１２と図１３に示すように、第５実施形態のラベル５０１は、第１実施形態のラベル１０１と同様に、主に本体ラベル５１０と副ラベル５２０とを備える。ラベル５０１は、第１実施形態のラベル１０１と主に以下の点で異なる。すなわち、ラベル５０１上の副ラベル５２０（５２０ａ，５２０ｂ，５２０ｃ，５２０ｄ）は、本体ラベル５１０と一体的に形成されたものではなく、本体ラベル５１０上に、副ラベル５２０の裏面の接着剤によって仮留めされたものである。本体ラベル５１０において副ラベル５２０によって覆われている部分には、情報指示部５２１が印刷によって表示されている。以下、第１実施形態と同一の符号で表わされる部材については、説明を省略する。
【０１２６】
ラベル５０１は、本体ラベル５１０と、本体ラベル５１０に分離可能に支持される複数の副ラベル５２０とを備える薬剤容器用ラベル５０１である。本体ラベル５１０は、第１の種類の情報が表示される複数の第１情報部５１１（５１１ａ，５１１ｂ，５１１ｃ，５１１ｄ）を含む。複数の第１情報部５１１には、それぞれ異なる情報が表示される。ラベル５０１は、１つの副ラベル５２０（５２０ａ，５２０ｂ，５２０ｃ，５２０ｄ）と１つの第１情報部５１１（５１１ａ，５１１ｂ，５１１ｃ，５１１ｄ）とから構成される組を複数備える。
【０１２７】
ラベル５０１においては、組を構成する副ラベル５２０と第１情報部５１１は、互いに隣接して配置されている。例えば、第１情報部５１１ａと副ラベル５２０ａ、第１情報部５１１ｂと副ラベル５２０ｂ、第１情報部５１１ｃと副ラベル５２０ｃ、第１情報部５１１ｄと副ラベル５２０ｄがそれぞれ組になっており、合計４組の第１情報部５１１と副ラベル５２０の組が構成されている。
【０１２８】
ラベル５０１においては、副ラベル５２０は、副情報が表示される副情報部を含み、副情報は、組を構成する第１情報部５１１に表示される情報に対応する情報である。
【０１２９】
ラベル５０１においては、本体ラベル５１０と副ラベル５２０は別個に形成されており、副ラベル５２０は本体ラベル５１０上に仮留めされている。本体ラベル５１０は、第１層の台紙（図示しない）と、第１層の上に接着される第２層のラベル紙（図示しない）とを含む。ラベル紙は台紙と略同形同大であり、副ラベル５２０は、ラベル紙上に仮留めされている。
【０１３０】
なお、この実施形態においては、ラベル５０１は本体ラベル５１０の表面上（ラベル紙上）に仮留めされているが、第２層のラベル紙は、第１層の台紙よりも小さくてもよい。この場合、副ラベル５２０は、本体ラベル５１０上の台紙上に仮留めされてもよい。
【０１３１】
なお、この実施形態においては、ラベル５０１上に第２情報部１３と副ラベル取付部１２とが設けられているので、ラベル５０１自体を薬剤管理キットとして用いることができる。
【０１３２】
第５実施形態の薬剤管理キットは、ラベル５０１と、第２の種類の情報が表示される複数の第２情報部１３（１３ａ，１３ｂ，１３ｃ，１３ｄ）とを備える。複数の第２情報部１３には、それぞれ異なる情報が表示され、第２情報部１３の近傍に、本体ラベル５１０から分離された副ラベル５２０が取り付けられる副ラベル取付部１２（１２ａ，１２ｂ，１２ｃ，１２ｄ）が設けられている。
【０１３３】
第５実施形態の薬剤管理キットは、副ラベル５２０を副ラベル取付部１２上に固定することが可能な固定手段を備える。固定手段は、副ラベル５２０の裏面に存在する接着剤である。
【０１３４】
第５実施形態の薬剤管理キットにおいては、副ラベル取付部１２は、本体ラベル５１０の端部に配置されている。
【０１３５】
第５実施形態のラベル５０１（薬剤管理キット）のその他の構成と効果は、第１実施形態のラベル１０１と同様である。
【０１３６】
以上に開示された実施の形態はすべての点で例示であって制限的なものではないと考慮されるべきである。本考案の範囲は、以上の説明ではなく、実用新案登録請求の範囲によって示され、実用新案登録請求の範囲と均等の意味および範囲内でのすべての変形を含むものである。
【符号の説明】
【０１３７】
１，２：薬剤管理キット、
１０，２１０，３１０，４１０，５１０：本体ラベル、
１１，１１ａ，１１ｂ，１１ｃ，１１ｄ，５１１，５１１ａ，５１１ｂ、５１１ｃ，５１１ｄ：第１情報部、
１２，１２ａ，１２ｂ，１２ｃ，１２ｄ，２１２：副ラベル取付部、
１３，１３ａ，１３ｂ，１３ｃ，１３ｄ，２１３，２１３ａ，２１３ｂ，２１３ｃ，２１３ｄ：第２情報部、
２０，２０ａ，２０ｂ，２０ｃ，２０ｄ，４２０，４２０ａ，４２０ｂ、４２０ｃ，４２０ｄ，５２０，５２０ａ，５２０ｂ、５２０ｃ，５２０ｄ：副ラベル、
３０：ミシン目、
１０１，２０１，３０１，４０１，５０１：ラベル、
１０２，２０２：輸液バッグ。
【図１】
0003194920.tif 000003
【図２】
0003194920.tif 000004
【図３】
0003194920.tif 000005
【図４】
0003194920.tif 000006
【図５】
0003194920.tif 000007
【図６】
0003194920.tif 000008
【図７】
0003194920.tif 000009
【図８】
0003194920.tif 000010
【図９】
0003194920.tif 000011
【図１０】
0003194920.tif 000012
【図１１】
0003194920.tif 000013
【図１２】
0003194920.tif 000014
【図１３】
0003194920.tif 000015